【事件の表示】
　平成１１年特許願第３２７０１８号「インクジェット式記録装置および同装置における記録ヘッドのクリーニング制御方法」拒絶査定不服審判事件〔平成１３年　５月２２日出願公開、特開２００１−１３８５３１〕について、次のとおり審決する。
【結　論】
　本件審判の請求は、成り立たない。
【理　由】
第１　手続の経緯
　本願は、平成１１年１１月１７日の出願であって、平成１８年３月１５日付け拒絶理由通知に対して、同年５月１５日付けで手続補正がされたが、同年６月７日付けで拒絶査定され、これに対し、同年７月６日に拒絶査定不服の審判が請求されるとともに、同日付けで明細書の手続補正がなされ、平成２０年４月２２日付けで前置報告書の内容を示す審尋がなされ、同年６月２５日付けで回答書が提出されたものである。
　その後、当審で審理した結果、平成２１年５月１２日付けで平成１８年７月６日付け手続補正を補正却下するとともに、同日付けで拒絶の理由（最初）を通知したところ、同年７月１４日付けで手続補正書が提出されたものである。
　　　　　　　　　　　　　
第２　本願発明
　本願発明は、平成２１年７月１４日付け手続補正書の請求項１に記載された事項により特定される、次のとおりのものである（以下「本願発明」というる。）。
  　　　　　　　
「【請求項１】往復移動可能なキャリッジ上に装填され、印刷デ−タに対応してインク滴を吐出するインクジェット式記録ヘッドと、前記記録ヘッドのノズル形成面を封止すると共に、吸引ポンプからの負圧を受けて前記記録ヘッドからインクを吸引排出させるキャッピング手段と、前記記録ヘッドの移動軌跡に位置して前記ノズル形成面を払拭するワイピング手段とを具備したインクジェット式記録装置であって、
前記キャッピング手段は、前記ノズル形成面を封止するキャップ部材と、キャップ部材を搭載し、前記キャリッジと係合して円弧状軌跡をもって前記記録ヘッド方向へ移動するスライダと、前記スライダを前記記録ヘッドから離間する方向に付勢する引っ張りバネと、を有し、
前記キャリッジが前記キャッピング手段の配置位置に移動した時に、前記キャッピング手段が前記キャリッジの一部に係合して進出して前記ノズル形成面を封止し、前記キャリッジが前記キャッピング手段の配置位置から退避した時に、前記引っ張りバネの作用により前記キャッピング手段が後退して前記ノズル形成面の封止を解き、
さらに前記キャリッジが移動して前記ノズル形成面をワイピング手段が払拭するように構成される
前記キャッピング手段に負圧を加えて前記記録ヘッドからインクを吸引させた後において前記キャッピング手段が前記ノズル形成面との封止を解く際の前記キャリッジの移動速度が、前記ワイピング手段により前記ノズル形成面を払拭させる際の前記キャリッジの移動速度よりも低速度とな
り、前記キャッピング手段の内部空間に貯留されたインクを周囲に飛散させることを抑制する速度である
　　　   　　　　　　　　　　　　　　　　
第３　引用刊行物記載の発明 
　当審の拒絶理由に引用され、本願出願前に頒布された刊行物である特開平１０−２０２８９４号公報（以下「引用文献」という。）には、図とともに以下（ア）乃至（ナ）に示す記載がある。 
　　　
　ア　「終端部側を突起により基台に形成された斜面部及び水平部に支持され、また始端部側の底面を前記基台に
回動可能
記録ヘッド
突起を回動中心としながら前記キャリッジの移動に一致して上下動する追従するスライダ
キャップ
キャッピング装置を備えたインクジェット式記録装置
　　　　　　　　
　イ　「本発明は、記録用紙の幅方向に移動する記録ヘッドを有し、
印刷デ−タに一致してインク滴を記録用紙に噴射して画像を形成する
  　　　　　　　　　　
　ウ　「本発明においては、終端部側を突起により基台に形成された斜面部及び水平部に支持され、また始端部側の底面を前記基台に回動可能に設けられたアームにより支持され、記録ヘッドもしくはこれを担持するキャリッジに押圧されて前記
突起を回動中心としながら前記キャリッジの移動に一致して上下動する追従するスライダ
       　　　　　
　エ　「
キャップは、封止面とほぼ同一高さ（ΔＨ≒０）に形成された突起を回動中心として記録ヘッドに当接する
　　                  　　　　　　　　          　　　　　
　オ　「図１は、本発明の一実施例を示すものであって、
キャリッジ１は、キャリッジモータ２にタイミングベルト３により接続されて、記録用紙４の幅方向に往復移動する
　カ　「記録用紙４は、
紙送りモータ７
クリーナユニット１０が設けられている
  　　
　キ　「キャッピングユニット９は、非印刷時に記録ヘッド５を封止してノズル開口の目詰まりを防止するほかに、
ポンプユニット１１からの負圧の供給を受けて
　            　　
　ク　「ポンプユニット１１の軸２４には、排紙ローラ２１の歯車２２とアイドラ２５を介して噛合う歯車２６が回動可能に設けられている。歯車２６は、その背面にバネ２７に押圧されて摩擦回転するアーム２８を備えた
クリーナカム２９が遊転自在に取り付けられていて、アーム２８によりクリーナユニット１０を移動させる
       　　　　　　　　　　　
　ケ　「これにより、ラチェットホイール３１が回転して、その突起３１ａが中間伝達ホイール３２の突起３２ａに当接するまでは中間伝達ホイール３２には伝達されない。またラチェットホイール３１の突起３１ａが中間伝達ホイール３２の突起３２ａに当接しても、突起３２ｂがポンプホイール３３の突起３３ａに当接するまではポンプホイール３３には動力が伝達されない。すなわち、
紙送りモータ７の回転方向が切り替わると、ラチェットホイール３１とポンプホイール３３との間には最大約２回転分の回転伝達遅れが設けられている
  　　　　　
　コ　「ポンプホイール３３は、周知のように、一端が中心方向に、他端が外周方向に向けて延びる２本の軸孔３３ｂ、３３ｂが設けられていて、ポンプホイール３３の回転方向に応じてこれらの軸孔３３ｂ、３３ｂに軸支したローラ３４、３４を、外周方向に片寄らせるか、中心方向に片寄らせること、つまり
紙送りモータ７を正転させるか、逆転させるかにより、チューブ３５をポンプケーシング３６との間で扱くポンプ作用と、チューブ３５を加圧しないレリース作用とを切替えるように構成されている
　　　
　サ　「クリーナユニット１０は、クリーナホルダ３７の上面に溝３８を形成してここに先端が記録ヘッド５のノズルプレートに弾接できる程度の高さの
クリーニングブレード３９
　　　　　　　
　シ　「クリーナカム２９が回動すると、案内溝４０を往復移動し、退避位置からクリーニング位置、つまり、図の右端位置からキャリッジ１の走行領域内に移動すると、
クリーニングブレード３９が記録ヘッド５に弾接してノズル面を払拭するとともに
  　　　
　ス　上記ケ乃至サより、紙送りモータ７の回転方向（正転・逆転）を変えることで、クリーナユニット１０を退避位置とクリーニング位置との間で移動させるとともに、ポンプユニット１１のポンプ作用とレリース作用とを切替えることになる。
　　　　　　　　
　セ　「また
スライダ５６の下部を支持するレバー５９
    　　　　　　　　　
  ソ　「記録動作が終了して、キャリッジモータ２によりキャリッジ１をホームポジションに移動させと、この移動の過程で図１０に示したようにキャリッジ１がスライダ５６の当接片５６ａに当接し、
スライダ５６を復帰バネ６１に抗して
　　　　　　　　　　　
　タ　上記ソより、復帰バネは、スライダを記録ヘッドから離間させる方向に付勢していることになる。
     　
　チ　「この移動過程で
レバー５９がキャリッジ１の移動とともに起き上がり
スライダ５６の突起５７がカム溝５３の斜面部５３ａを移動する
水平部５３ｂに移動させられると、その過程でキャップホルダ６３は、始端部側の一側を若干低い位置となる姿勢となるようにスライダ５６に取り付けられている関係上、まずキャップ８０はその終端部側の一点を全圧縮バネ７０の圧縮力により記録ヘッド５のノズル面に当接する
スライダ５６が終端部に移動した段階では、キャップ８０の全周が全圧縮バネ７０の圧縮力を受けて記録ヘッド５のノズル面に当接して確実に封止する。
　　　　　　　　　
　ツ　「この当接初期から全面封止に至る過程において、突起５７は、キャップ８０の封止面８０ａとほぼ同一高さ（ΔＨ≒０）に位置しているから、図６（ハ）に示したようにスライダ５６がキャッピング位置に移動する際、突起５７を中心として回動した場合におけるずれ量ΔＬ１が極めて小さく確実に記録ヘッド５のノズル面に当接して確実に封止する。」【００４０】
　　　　　　　　　　　
　テ　「またキャップ８０は、若干傾いた状態姿勢を取るように倣い性が与えられているため、
開放時にはキャップ始端部側の一端から徐々に開口面積を拡大しながら記録ヘッド５から離間することになる。
毛細管力等で残留しているインク
追従して移動することが可能となるから、最終的にキャップ８０が最後に記録ヘッド５の表面から離れる端部の一点に移動させることができ、キャップ８０を一気に開放する場合に比較してインク膜の面積が小さくなった段階でインクの膜が破裂するから、ノズル面へのインクの付着量を少なくして印字品質の低下を小さく抑えることができる。
　　　
　ト　上記ア、ウ、セ、チより、スライダはキャリッジに押圧されることで、スライダの下部を支持するレバー５９が起き上がり、突起５７を回動中心として上下動することから、スライダは円弧状軌跡をもって記録ヘッド方向に移動することになる。
　  　　　　　　　　　　
　ナ　引用文献の図4乃至６及び図１１から、「キャッピングユニット９」は、記録ヘッド５のノズル面を封止するキャップ８０と、キャップ８０を搭載し、キャリッジ１と当接して記録ヘッド方向に回動するスライダ５６と、スライダ５６を記録ヘッド５から離間する方向に付勢する復帰バネ６１を有していることが看取れる。
     　　　　　　　　　　　　　    　　　　　
　上記ア乃至ナより、引用文献には、次の発明（以下「引用発明」という。）が記載されていることを認めることができる。 
　　　　　 　　　　　　　　　　　　　　　　　　　　　　　 
「記録用紙の幅方向に往復移動するように構成されキャリッジにインクカートリッジを着脱可能に搭載し、印刷デ−タに一致してインク滴を噴射するインクジェット式記録ヘッドと、非印刷時に記録ヘッドを封止してノズル開口の目詰まりを防止すると共に、ポンプユニットからの負圧の供給を受けて記録ヘッドからインクを強制的に吐出させる機能を備えたキャッピングユニットと、キャリッジの走行領域内に移動して記録ヘッドに弾接してノズル面を払拭するクリーナユニットとを具備したインクジェット式記録ヘッドを搭載した記録装置であって、 
キャッピングユニットは、記録ヘッドのノズル面を封止するキャップと、キャップを搭載し、キャリッジと当接して円弧状軌跡をもって記録ヘッド方向に移動するスライダと、スライダを記録ヘッドから離間する方向に付勢する復帰バネを有し、
キャリッジをスライダの当接片に当接させて復帰バネに抗して終端部に移動させたときに、キャップが記録ヘッドのノズル面を封止し、キャリッジを始端側に移動させる開放時に、復帰バネの作用によりキャップを記録ヘッドのノズル面から離間させるようにしたインクジェット式記録装置。」 
 　　　　　　　　　　　　　　　　　　　　　　　　　　 
第４　対比
（ａ）引用発明の「記録用紙の幅方向に往復移動するように構成されキャリ　ッジにインクカートリッジを着脱可能に搭載し、印刷デ−タに一致してイ　ンク滴を記録用紙に噴射する」は、
　本願発明の「往復移動可能なキャリッジ上に装填され、印刷デ−タに対応　してインク滴を吐出する」に相当する。
（ｂ）引用発明の「非印刷時に記録ヘッドを封止してノズル開口の目詰まり　を防止すると共に、ポンプユニットからの負圧の供給を受けて記録ヘッド　からインクを強制的に吐出させる機能を備えたキャッピングユニット」は　、本願発明の「記録ヘッドのノズル形成面を封止すると共に、吸引ポンプ　からの負圧を受けて前記記録ヘッドからインクを吸引排出させるキャッピ　ング手段」に相当する　。 
（ｃ）引用発明の「キャリッジの走行領域内に移動して記録ヘッドに弾接し　てノズル面を払拭するクリーナユニット」は、
　本願発明の「記録ヘッドの移動軌跡に位置して前記ノズル形成面を払拭す　るワイピング手段」に相当する。 
（ｄ）引用発明の「インクジェット式記録ヘッドを搭載した記録装置」は、　本願発明の「インクジェット式記録装置」に相当する。 
（ｅ）引用発明の「復帰バネ」は本願発明の「引っ張りバネ」に相当する。
（ｆ）引用発明の「キャッピングユニットは、記録ヘッドのノズル面を封止　するキャップと、キャップを搭載し、キャリッジと当接して円弧状軌跡を　もって記録ヘッド方向に移動するスライダと、スライダを記録ヘッドから　離間する方向に付勢する復帰バネを有し」は、
　本願発明の「キャッピング手段は、前記ノズル形成面を封止するキャップ　部材と、キャップ部材を搭載し、前記キャリッジと係合して円弧状軌跡を　もって前記記録ヘッド方向へ移動するスライダと、前記スライダを前記記　録ヘッドから離間する方向に付勢する引っ張りバネと、を有し」に相当す　る。
（ｇ）引用発明の「キャリッジをスライダの当接片に当接させて復帰バネに　抗して終端部に移動させたときに、キャップが記録ヘッドのノズル面を封　止し、キャリッジを始端側に移動させる開放時に、復帰バネの作用により　キャップを記録ヘッドのノズル面から離間させる」は、
　本願発明の「キャリッジが前記キャッピング手段の配置位置に移動した時　に、前記キャッピング手段が前記キャリッジの一部に係合して進出して前　記ノズル形成面を封止し、前記キャリッジが前記キャッピング手段の配置　位置から退避した時に、引っ張りバネの作用により前記キャッピング手段　が後退して前記ノズル形成面の封止を解き」に相当する。 
 　　　　　　　　　　　　　　　　　　 
 　してみれば、引用発明と本願発明とは、 
「往復移動可能なキャリッジ上に装填され、印刷デ−タに対応してインク滴を吐出するインクジェット式記録ヘッドと、前記記録ヘッドのノズル形成面を封止すると共に、吸引ポンプからの負圧を受けて前記記録ヘッドからインクを吸引排出させるキャッピング手段と、前記記録ヘッドの移動軌跡に位置して前記ノズル形成面を払拭するワイピング手段とを具備したインクジェット式記録装置であって、 
前記キャッピング手段は、前記ノズル形成面を封止するキャップ部材と、キャップ部材を搭載し、前記キャリッジと係合して円弧状軌跡をもって前記記録ヘッド方向へ移動するスライダと、前記スライダを前記記録ヘッドから離間する方向に付勢する引っ張りバネと、を有し、
前記キャリッジが前記キャッピング手段の配置位置に移動した時に、前記キャッピング手段が前記キャリッジの一部に係合して進出して前記ノズル形成面を封止し、前記キャリッジが前記キャッピング手段の配置位置から退避した時に、前記引っ張りバネの作用により前記キャッピング手段が後退して前記ノズル形成面の封止を解くように構成されるインクジェット式記録装置。」である点で一致し、以下の点で相違する。 　　　　　　　
  　　　　
＜相違点１＞ 
　ワイピング手段に関し
　本願発明が「キャリッジが前記キャッピング手段の配置位置から退避した時に、前記引っ張りバネの作用により前記キャッピング手段が後退して前記ノズル形成面の封止を解き、さらに前記キャリッジが移動して前記ノズル形成面をワイピング手段が払拭する」と特定されるものであるのに対して、引用発明では上記特定を有しているか否か不明である点。
  　　　　　　　　　　
＜相違点２＞ 
　キャリッジの移動速度の制御手段に関し
　本願発明が「キャッピング手段に負圧を加えて前記記録ヘッドからインクを吸引させた後において前記キャッピング手段が前記ノズル形成面との封止を解く際の前記キャリッジの移動速度が、前記ワイピング手段により前記ノズル形成面を払拭させる際の前記キャリッジの移動速度よりも低速度となり、前記キャッピング手段の内部空間に貯留されたインクを周囲に飛散させることを抑制する速度であるように制御する制御手段を備えてなる」と特定されるものであるのに対して、引用発明では上記特定を有していない点。
　　　　　　　　　　
第５　判断　　　　　　　 
　上記相違点について検討する。　
　＜相違点１＞について
　ア　インク吸引後にノズルに付着しているインクをワイピング手段により払拭し、その後に空吸引を行うことは、本願明細書においても従来技術として紹介されているように、本願出願前に周知である（例えば、特開平１１−１５７１０３号公報、特開平１１−１５７１０２号公報、特開平０９−０３９２５８号公報を参照。）。
　　　　　  　　
　イ　引用文献にも「ノズル面へのインクの付着量を少なくして印字品質の低下を小さく抑えることができる。」（摘記（テ）参照。）と記載されているように、印刷装置において、印字品質を低下させないことは自明の課題であることから、引用発明においても、上記周知技術のようにインクの吸引後にノズル面をワイピング手段により払拭させるようにして、上記＜相違点１＞の構成とすることは、当業者が容易になし得たことである。
 　　　   　　                                　　
＜相違点２＞について
　ア　引用文献には、キャップによるノズル封止に関して「キャリッジ１に押されたスライダ５６はさらにその突起５７がカム溝５３の
水平部５３ｂに移動させられると、その過程で
まずキャップ８０はその終端部側の一点
始端部側の一端から徐々に
　　　　　　　　　　　　　　　　
  イ　引用発明においては、スライダと復帰バネとの関係からして、キャリッジを始端側に移動させる速度が速くなるほど、キャップのヘッドから離間する速度も、それにつれて速くなるものと解される。 
      　　             　　　
　ウ　引用発明におけるキャリッジは、キャリッジモータの駆動により終端側に停止した状態から始端側に向かって移動を開始するものであるので、移動開始直後の移動速度は、ワイピング手段の近傍の移動速度と比較して遅くなっているものと認められる。（例えば、特開平０８−１５６２７５号公報、特開平０８−２４４２１６号公報、特開平０６−１９８８９６号公報、特開昭６４−００４３５１号公報を参照。）。
　　　　　　　　　　　　　
　エ　インク吸引後にキャップ内に残留するインクが衝撃等により飛散し周囲を汚すおそれのあることは、本願出願前によく知られたことである（特開平１１−０７８０３７号公報、特開平０７−０６８７９５号公報、特開平０６−３４００７９号公報、特開平０６−１２６９４７号公報、特開平０４−１３１２５０号公報を参照。）。
   　　　
　オ　以上のことから、引用発明において、キャリッジを終端部側に停止した状態から始端側に向かって移動させる際に、キャッピング手段によるノズル形成面の封止を解く際の速度を、キャップ内に残留するインクが周囲に飛散しないような低速度とすること、つまり＜相違点２＞の構成を採用することは、当業者が容易になし得たことである。
            　　　　　　　　　
　本願発明の効果も、引用発明及び周知技術から当業者が予測し得る範囲内のものである。
　　　　　　　　　　　　　　　　
　上記のとおりであるから、本願発明は、引用文献に記載された発明及び周知技術に基いて、当業者が容易に発明をすることができたものであるから、特許法第２９条第２項の規定により特許を受けることができない。 
 　　　　　　　　　　　　　　　　　　　　　　　　　　 
第６　むすび 
　本願発明は、引用刊行物に記載された発明び周知技術に基いて、当業者が容易に発明をすることができたものであるから、特許法第２９条第２項の規定により特許を受けることができない。
　よって、結論のとおり審決する。